(57)【要約】【課題】簡便にクラック周辺部を切削することができ且つ手で取り扱えるクラック補修用カッターを提供する。【解決手段】駆動回転する駆動軸１１に円盤形状を有する少なくとも３枚の複数の回転刃が取り付けられ、前記駆動軸１１の軸方向中央部に固定される少なくとも一枚の回転刃１２ａの直径が最大直径を有する。【選択図】図１
2007146397.tif 000002
【特許請求の範囲】
【請求項１】
駆動回転する駆動軸に円盤形状を有する少なくとも３枚の複数の回転刃が取り付けられ、前記駆動軸の軸方向中央部に固定される少なくとも一枚の回転刃の直径が最大直径を有することを特徴とするクラック補修用カッター。
【請求項２】
前記回転刃が５枚であり、前記駆動軸の軸方向中央の回転刃が最大直径を有し、両端の回転刃が最小直径を有することを特徴とする請求項１に記載のクラック補修用カッター。
【請求項３】
前記回転刃が６枚であり、前記駆動軸の軸方向中央部の２枚の回転刃は略同一で最大直径を有し、前記駆動軸の軸方向両端の回転刃は最小直径を有することを特徴とする請求項１に記載のクラック補修用カッター。
【請求項４】
前記複数の回転刃は、前記駆動軸に任意の枚数を着脱自在に取り付け可能であることを特徴とする請求項１〜３の何れかに記載のクラック補修用カッター。
【請求項５】
前記複数の回転刃は、前記駆動軸の軸方向の任意の位置に着脱自在に取り付け可能であることを特徴とする請求項１〜４の何れかに記載のクラック補修用カッター。
【請求項６】
前記駆動軸は把持部を有する本体に取り付けられ、前記駆動軸を回転させながら軸方向中央部の回転刃をクラックに沿うように移動させることで、前記中央部の回転刃でクラック周辺部分を切削すると共に前記駆動軸の軸方向両端部の回転刃で前記クラックの長手方向の周辺部側部を切削することを特徴とする請求項１〜５の何れかに記載のクラック補修用カッター。
【発明の詳細な説明】
【技術分野】
【０００１】
本発明は、コンクリート等に発生するクラックを補修する際に使用するクラック補修用カッターに関する。
【背景技術】
【０００２】
ダム等のコンクリート等で形成された構造物は、例えば低温環境下で長期間経過するとクラック（ひび割れ）が発生しやすい。図５の断面図に示すように、コンクリート５０に発生したクラック５１（図５（ａ））を補修する方法としては、まずクラック５１周辺のコンクリート５０をはつり取って溝５２を形成し（図５（ｂ））、この溝５２に補修材５３を充填する（図５（ｃ））方法が挙げられる。このはつりは、図６の平面図に示すように、カッターでクラック５１周辺部側部を例えば太線で示す切断部５４のように切削した後、切断部５４の間をハンマー等でチッピングすることにより行われるが、カッターでクラック５１周辺部側部を切削すると、左右を別々に切らなければならず、また、直線状に操作することが必要であるために、切断部５４に示すようにクラック５１に沿って複数回に分けて切断しなければならず、非常に手間がかかるという問題があった。
【０００３】
ここで、コンクリート建物の床面に凹凸をつけるための大型の装置として、複数枚の円板状のカッター及びはつり機能を有する装置が提案されている（特許文献１参照）。特許文献１のはつり装置をクラック補修に使用してクラック周辺部をはつることも考えられるが、このはつり装置を応用しても、過大なトルクが生じてしまうため、手で取り扱うことができない。
【０００４】
【特許文献１】特開平５−２１４８２０号公報
【発明の開示】
【発明が解決しようとする課題】
【０００５】
本発明は、このような事情に鑑み、簡便にクラック周辺部を切削することができ且つ手で取り扱えるクラック補修用カッターを提供することを課題とする。
【課題を解決するための手段】
【０００６】
前記課題を解決する本発明の第１の態様は、駆動回転する駆動軸に円盤形状を有する少なくとも３枚の複数の回転刃が取り付けられ、前記駆動軸の軸方向中央部に固定される少なくとも一枚の回転刃の直径が最大直径を有することを特徴とするクラック補修用カッターにある。
【０００７】
かかる第１の態様では、複数の回転刃のうち中央部の回転刃の直径を最大にすることにより、切削時の初期にかかるトルクは最大直径を有する中央部の回転刃のみとなり、回転刃全てのトルクがかからず、その後、切断が安定した時点でトルクが増大するので、手でクラック補修用カッターを制御することができる。また、両端部の回転刃でクラックの周辺部側部を両側同時に切削することができるため、少ない工程でクラックの補修をすることができる。
【０００８】
本発明の第２の態様は、前記回転刃が５枚であり、前記駆動軸の軸方向中央の回転刃が最大直径を有し、両端の回転刃が最小直径を有することを特徴とする第１の態様に記載のクラック補修用カッターにある。
【０００９】
かかる第２の態様では、５枚の回転刃のうち中央の回転刃の直径が最大なので、クラック内に中央の回転刃を挿入してクラック補修用カッターを動かすことができるため、操作が容易となる。
【００１０】
本発明の第３の態様は、前記回転刃が６枚であり、前記駆動軸の軸方向中央部の２枚の回転刃は略同一で最大直径を有し、前記駆動軸の軸方向両端の回転刃は最小直径を有することを特徴とする第１の態様に記載のクラック補修用カッターにある。
【００１１】
かかる第３の態様では、切削が中央部の２枚の回転刃で同時に行われるため、安定して切り込みを行うことができる。
【００１２】
本発明の第４の態様は、前記複数の回転刃は、前記駆動軸に任意の枚数を着脱自在に取り付け可能であることを特徴とする第１〜３の何れかの態様に記載のクラック補修用カッターにある。
【００１３】
かかる第４の態様では、所望の枚数の回転刃を有するクラック補修用カッターとすることができる。
【００１４】
本発明の第５の態様は、前記複数の回転刃は、前記駆動軸の軸方向の任意の位置に着脱自在に取り付け可能であることを特徴とする第１〜４の何れかの態様に記載のクラック補修用カッターにある。
【００１５】
かかる第５の態様では、クラック補修用カッターの切断幅を調整することができるため、様々な大きさのクラックに対応することができる。
【００１６】
本発明の第６の態様は、前記駆動軸は把持部を有する本体に取り付けられ、前記駆動軸を回転させながら軸方向中央部の回転刃をクラックに沿うように移動させることで、前記中央部の回転刃でクラック周辺部分を切削すると共に前記駆動軸の軸方向両端部の回転刃で前記クラックの長手方向の周辺部側部を切削することを特徴とする第１〜５の何れかの態様に記載のクラック補修用カッターにある。
【００１７】
かかる第６の態様では、手で扱え、また、少ない工程でクラック周辺部を切削することができるため、クラックの補修を簡便に行うことができる。
【発明の効果】
【００１８】
本発明によれば、手で扱えるカッターで少ない工程でクラック周辺部を切削することができるため、クラックの補修を簡便に行うことができる。
【発明を実施するための最良の形態】
【００１９】
以下、本発明を実施形態に基づいて詳細に説明する。
【００２０】
（実施形態１）
図１（ａ）は、本発明の実施形態１に係るクラック補修用カッター１０の概略図であり、図１（ｂ）は図１（ａ）の矢印の方向から見た正面拡大図である。図１に示すように、本実施形態に係るクラック補修用カッター１０は、駆動回転する駆動軸１１と、円盤形状を有する５枚の回転刃１２ａ〜１２ｅと、５枚の回転刃１２ａ〜１２ｅを覆うカバー１３と、把持部１４と、取っ手１５とを有する。なお、回転刃１２ａ〜１２ｅを覆うカバー１３や取っ手１５は無くてもよい。また、駆動軸１１への回転刃１２ａ〜１２ｅの取り付け状態を示す図である図２に示すように、本実施形態では、回転刃１２ａ〜１２ｅは、各回転刃１２ａ〜１２ｅの間に調節部材１６を挟みこんだ状態で駆動軸１１に取り付けられ、両端に設けられた固定部材１７により固定されている。なお、駆動軸１１に溝を設ける等の方法により回転刃を固定することができれば、固定部材１７は設けなくてもよい。この５枚の回転刃１２ａ〜１２ｅは３種類の異なる直径を有し、駆動軸１１に同心円となるように取り付けられ、駆動軸１１の軸方向中央に固定された回転刃１２ａの直径が、５枚のなかで最大直径を有する。また、駆動軸１１の軸方向両端の回転刃１２ｄ及び１２ｅは最小直径を有し、回転刃１２ｂ及び１２ｃはその間の直径を有する。すなわち、クラック補修用カッター１０を用いて、コンクリート等の構造体を切断しようとすると、まず、中央の回転刃１２ａが構造体に当接して切断が開始され、回転刃１２ａが構造体に所定量押し込まれた後、その両側の回転刃１２ｂ及び１２ｃが構造体に当接し、最後に回転刃１２ｄ及び１２ｅが当接するようになる。したがって、切断時のトルクによる反動が小さく、切断が安定するに従って徐々にトルクが大きくなるようになるため、本発明のクラック補修用カッターは、手で把持して制御することができる。
【００２１】
このクラック補修用カッター１０を用いてクラックを補修する場合について、図３の断面図を用いて以下に説明する。まず、図３（ａ）に示すようにコンクリート等の構造体３０に発生したクラック３１に、図示しない把持部１４や取っ手１５を把持してクラック補修用カッター１０の駆動軸１１を回転させながら軸方向中央の回転刃１２ａをクラック３１に沿うように移動させ、中央の回転刃１２ａでクラック３１周辺部分を切削すると共に駆動軸１１の軸方向両端部の回転刃１２ｄ及び１２ｅでクラック３１の長手方向の周辺部側部を両側切削する。これにより、図３（ｂ）に示すように、クラック３１周辺部および周辺部側部に溝３２を形成する。この溝３２の間に形成された側壁３３を、ハンマー等で叩きはつること（チッピング）により、図３（ｃ）に示すようにはつり溝３４を形成する。その後、はつり溝３４に、図３（ｄ）に示すように例えばコンクリートからなる補修材３５を充填することにより、クラック３１を塞いでクラック３１の発生した構造体３０を補修することができる。
【００２２】
このように、回転刃１２ａ〜１２ｅのうち駆動軸１１の中央に設けられた回転刃１２ａの直径を最大にすることにより、切削時の初期にかかるトルクは最大直径を有する中央の回転刃１２ａのみとなり、回転刃１２ａ〜１２ｅ全てのトルクがかからず、その後、切断が安定した時点でトルクが増大するので、手でクラック補修用カッター１０を制御することができる。さらに、軸方向両端部の回転刃１２ｄ及び１２ｅで、クラック３１の長手方向の周辺部側部の両側を同時に切削することができるため、クラックの左右を別々に切る必要がなく、複数回に分けて切断しなくてもよいため、クラックの補修を簡便に行うことができる。また、中央の回転刃１２ａを、クラック３１に沿うように、例えば、クラック３１内に挿入してクラック補修用カッター１０を動かすことができるため、操作も容易である。さらに、最後には５枚の回転刃で切削するため、クラック３１周辺に薄い側壁３３を形成することができるので、チッピングに必要な力は小さくなり、例えば手動のハンマーを用いて軽く叩く程度で側壁３３を取り除くこともできる。また、形成されるはつり溝３４がＶ字形状となると開口部が大きいため、補修材３５を充填しやすくなるという効果も奏する。
【００２３】
回転刃１２ａ〜１２ｅの厚さや直径は特に限定されず、補修されるクラックに合わせて適宜設定することができる。
【００２４】
なお、本実施形態１では、各回転刃の直径は駆動軸の中央から両端部へと漸次大きくなるようにしたが、中央の回転刃が最大直径であればよく、例えば、中央と両端部の間に設けられた回転刃の直径が、両端部の回転刃よりも小さくてもよい。
【００２５】
また、本実施形態では、回転刃を５枚設けたが、回転刃は３枚以上とすればよく、例えば３または７枚とすることもできる。回転刃の枚数を少なくした場合は、トルクが小さくなるため特に手で制御しやすくなる。一方、５枚以上の多数の回転刃を設けた場合は、大きなクラックを補修することができる。例えば、１２ｄ及び１２ｅよりも直径の小さい回転刃を、調節部材１６を介して回転刃１２ｄ及び１２ｅの外側に設けて、７枚としてもよい。また、回転刃１２ｄ及び１２ｅをはずして３枚としてもよい。このように、本発明のクラック補修用カッター１０は、駆動軸１１に任意の枚数の回転刃を着脱自在に取り付けることができ、所望の枚数とすることができる。
【００２６】
また、回転刃は、駆動軸１１の軸方向の任意の位置に着脱自在に取り付け可能であり、例えば調節部材１６の幅を変更することで、両端の回転刃の間隔、すなわちクラック補修用カッターの切断幅を調整することができるため、様々な大きさのクラックに対応することもできる。
【００２７】
（実施形態２）
図４は、本発明の実施形態２に係るクラック補修用カッター２０の正面拡大図である。実施形態２に係るクラック補修用カッター２０は、図４に示すように、回転刃２２ａ〜２２ｆを６枚有する。この６枚の回転刃２２ａ〜２２ｆは３種類の異なる直径を有し、図示しない駆動軸に同心円となるように取り付けられ、駆動軸の軸方向中央部に固定された２枚の回転刃２２ａ及び２２ｂは略同一の最大直径を有し、駆動軸の軸方向両端の回転刃２２ｅ及び２２ｆは最小直径を有し、回転刃２２ｃ及び２２ｄはその間の直径を有する。なお、回転刃以外の構成及びクラックの補修方法は、実施形態１に係るクラック補修用カッター１０と同様である。
【００２８】
このように、回転刃２２ａ〜２２ｆのうち駆動軸の中央部に設けられた２枚の回転刃２２ａ及び２２ｂの直径を略同一で最大にすることにより、切削時の初期にかかるトルクは最大直径を有する中央部の２枚の回転刃２２ａ及び２２ｂのみとなり、回転刃２２ａ〜２２ｆ全てのトルクがかからず、その後、切断が安定した時点でトルクが増大するので、手でカッターを制御することができる。また、軸方向両端部の回転刃１２ｅ及び１２ｆで、クラックの長手方向の周辺部側部の両側を同時に切削することができるため、左右を別々に切る必要がなく、複数回に分けて切断しなくてもよいため、クラックの補修を簡便に行うことができる。さらに、２枚の回転刃２２ａ及び２２ｂで同時にクラック周辺部を切削するため、安定して切り込みを行うことができる。
【００２９】
なお、本実施形態では、回転刃を６枚設けたがこれに限定されるものではなく、例えば４枚とすることができる。
【００３０】
（他の実施形態）
以上、本発明の実施形態を説明したが、本発明の構成は上述したものに限定されるものではない。例えば、上記実施形態では回転刃の間に調節部材を設けたが、調節部材は設けなくてもよく、この場合、例えば駆動軸として溝等が形成されたものを用い、この溝等に間隔をあけて回転刃を固定してもよい。
【図面の簡単な説明】
【００３１】
【図１】実施形態１に係るクラック補修用カッターの概略図及び正面拡大図である。
【図２】実施形態１に係るクラック補修用カッターの駆動軸への回転刃の取り付け状態を示す図である。
【図３】実施形態１に係るクラック補修用カッターを用いてクラックを補修する方法を示す断面図である。
【図４】実施形態２に係るクラック補修用カッターの正面拡大図である。
【図５】従来技術にかかるクラック補修方法を示す図である。
【図６】従来技術にかかるクラック補修方法を示す図である。
【符号の説明】
【００３２】
１０、２０  クラック補修用カッター
１１  駆動軸
１２ａ〜１２ｅ、２２ａ〜２２ｆ  回転刃
１３、２３  カバー
１４  把持部
１５  取っ手
１６  調節部材
１７  固定部材
３０  構造体
３１  クラック
３２  溝
３３  側壁
３４  はつり溝
３５  補修材
【図１】
2007146397.tif 000003
【図２】
2007146397.tif 000004
【図３】
2007146397.tif 000005
【図４】
2007146397.tif 000006
【図５】
2007146397.tif 000007
【図６】
2007146397.tif 000008